【手続補正書】
【提出日】平成17年6月28日(2005.6.28)
【手続補正１】
【補正対象書類名】明細書
【補正対象項目名】特許請求の範囲
【補正方法】変更
【補正の内容】
【特許請求の範囲】
【請求項１】
コンピュータ実行可能命令を格納しているコンピュータ読取可能媒体であって、前記コンピュータ実行可能命令は、
デジタルインクファイルのシャープポイントを計算し、
シャープポイント間のセグメントを数学式によって定義し、
シャープポイントに関する情報と数学式をデジタルインクファイルのバックボーンスプラインとしてストアしておく、
ことを含むことを特徴とするコンピュータ読取可能媒体。
【請求項２】
請求項１に記載のコンピュータ読取可能媒体において、バックボーンスプラインをデジタルインクファイルに関する情報と結合して、デジタルインクファイルの輪郭曲線を作成することを含むコンピュータ実行可能命令を、さらに格納していることを特徴とするコンピュータ読取可能媒体。
【請求項３】
請求項１に記載のコンピュータ読取可能媒体において、デジタルインクファイルに関する情報は、太さ情報を含むことを特徴とするコンピュータ読取可能媒体。
【請求項４】
請求項３に記載のコンピュータ読取可能媒体において、バックボーンスプラインを太さ情報と結合するのに先立って、デジタルインクファイルをデノイズ（ノイズ除去）することを含むコンピュータ実行可能命令を、さらに格納していることを特徴とするコンピュータ読取可能媒体。
【請求項５】
請求項１に記載のコンピュータ読取可能媒体において、バックボーンスプラインをデジタルインクファイルに関する情報と結合するのに先立って、デジタルインクファイルをデノイズすることを含むコンピュータ実行可能命令を、さらに格納していることを特徴とするコンピュータ読取可能媒体。
【請求項６】
請求項１に記載のコンピュータ読取可能媒体において、シャープポイントは、デジタルインクファイル内のポイントであって、直線から最もはずれているポイントを含むことを特徴とするコンピュータ読取可能媒体。
【請求項７】
請求項１に記載のコンピュータ読取可能媒体において、シャープポイントは、曲率が反転している個所のポイントを含むことを特徴とするコンピュータ読取可能媒体。
【請求項８】
請求項１に記載のコンピュータ読取可能媒体において、デジタルインクファイルは、生データインクとレースを含むことを特徴とするコンピュータ読取可能媒体。
【請求項９】
請求項１に記載のコンピュータ読取可能媒体において、シャープポイント間のセグメントを数学式によって定義することは、しきい値を超えるセグメントをサブセグメントに細分割し、そのサブセグメントを数学式によって定義することを含むことを特徴とするコンピュータ読取可能媒体。
【請求項１０】
請求項９に記載のコンピュータ読取可能媒体において、しきい値は、定義された限界値よりも大きい回転角をもつセグメントを含むことを特徴とするコンピュータ読取可能媒体。
【請求項１１】
請求項１０に記載のコンピュータ読取可能媒体において、定義された限界値は、２πであることを特徴とするコンピュータ読取可能媒体。
【請求項１２】
請求項９または１０に記載のコンピュータ読取可能媒体において、しきい値は、数学式について定義された誤差許容範囲を含むことを特徴とするコンピュータ読取可能媒体。
【請求項１３】
請求項１に記載のコンピュータ読取可能媒体において、
バックボーンスプラインをデジタルインクファイルに関する情報と結合して、デジタルインクファイルの輪郭曲線を作成し、
輪郭曲線を表示すること、
を含むコンピュータ実行可能命令を、さらに格納していることを特徴とするコンピュータ読取可能媒体。
【請求項１４】
請求項１３に記載のコンピュータ読取可能媒体において、輪郭曲線を表示することは、輪郭曲線を複数のストレートセグメントに分離し、該複数のストレートセグメントをレンダリングすることを含むことを特徴とするコンピュータ読取可能媒体。
【請求項１５】
請求項１４に記載のコンピュータ読取可能媒体において、輪郭曲線を表示することは、さらに、ストレートセグメントの各々にアンチエイリアシング効果を適用することを含み、前記アンチエイリアシング効果は、画像の中心よりも多い画像のエッジをフィルタリングするアンチエイリアシングフィルタを含んでいることを特徴とするコンピュータ読取可能媒体。
【請求項１６】
請求項１４に記載のコンピュータ読取可能媒体において、輪郭曲線を表示することは、さらに、セグメントの端に置かれているピクセルを平均化することによってストレートセグメントの端を位置合わせすることを含むことを特徴とするコンピュータ読取可能媒体。
【請求項１７】
コンピュータシステムであって、
画像の中心よりも多い画像のエッジをフィルタリングするアンチエイリアシングコンポーネントを備えていることを特徴とするコンピュータシステム。
【請求項１８】
請求項１７に記載のコンピュータシステムにおいて、アンチエイリアシングコンポーネントは、人間の知覚特性に基づいて画像をフィルタリングすることを特徴とするコンピュータシステム。
【請求項１９】
請求項１７に記載のコンピュータシステムにおいて、アンチエイリアシングコンポーネントは、GUPTA-SPROULLアルゴリズムを使用してフィルタリング効果を得るようにしたことを特徴とするコンピュータシステム。
【請求項２０】
請求項１７に記載のコンピュータシステムにおいて、アンチエイリアシングコンポーネントは、画像の各スキャンラインに適用される複数のフィルタを使用し、前記複数のフィルタは、
画像の中心に隣接する画像をフィルタリングするように構成され、第１しきい値でフィルタリングする少なくとも１つの中心フィルタと、
画像のエッジに隣接する画像をフィルタリングするように構成され、前記第１しきい値よりも大きい第２しきい値でフィルタリングする少なくとも１つの外側フィルタと、
を含むことを特徴とするコンピュータシステム。
【請求項２１】
請求項２０に記載のコンピュータシステムにおいて、第２しきい値は、人間の知覚特性に基づいてセットされることを特徴とするコンピュータシステム。
【請求項２２】
請求項１８または２１に記載のコンピュータシステムにおいて、人間の知覚特性は、コントラストセンシティビティを含むことを特徴とするコンピュータシステム。
【請求項２３】
請求項２０に記載のコンピュータシステムにおいて、中心フィルタの数は１であり、外側フィルタの数は２であり、外側フィルタは外側フィルタの向き合う側にあって、各々の外側フィルタが画像の異なるエッジに隣接するように配置されていることを特徴とするコンピュータシステム。
【請求項２４】
請求項２０に記載のコンピュータシステムにおいて、フィルタの各々は円錐断面を有し、各々は同じスキャンラインをもっているが、外側フィルタは、減少係数だけサイズが減少していることを特徴とするコンピュータシステム。
【請求項２５】
コンピュータ実行可能命令を格納しているコンピュータ読取可能媒体であって、前記コンピュータ実行可能命令は、
デジタル画像ファイルを複数のラインセグメントに分離し、
ラインセグメントの各々について表示可能画像ファイルを生成するようにラインセグメントの各々を変更し、各々の表示可能画像ファイルは、その画像ファイルを画像化するために定義されたピクセル値の集合を含み、
隣接するラインセグメントがしきい値を超えているかどうかを判断し、
隣接するラインセグメントがしきい値を超えていれば、漏れているピクセル値を隣接するラインセグメントに追加して、ラインセグメントの端を平滑化する、
ことを含むことを特徴とするコンピュータ読取可能媒体。
【請求項２６】
請求項２５に記載のコンピュータ読取可能媒体において、ラインセグメントを変更することは、ストレートセグメントにアンチエイリアシング効果を適用することを含み、アンチエイリアシング効果は、画像の中心よりも多い画像のエッジをフィルタリングするアンチエイリアシングフィルタを含むことを特徴とするコンピュータ読取可能媒体。
【請求項２７】
請求項２５に記載のコンピュータ読取可能媒体において、隣接するラインセグメントがしきい値を超えているかどうかを判断することは、ラインセグメント間に形成された角度が特定の角度を超えているかどうかを判断することを含むことを特徴とするコンピュータ読取可能媒体。
【請求項２８】
請求項２７に記載のコンピュータ読取可能媒体において、特定の角度は、４５度であることを特徴とするコンピュータ読取可能媒体。
【請求項２９】
請求項２５に記載のコンピュータ読取可能媒体において、
漏れているピクセルに隣接するピクセルのグレー値を平均化して、平均化されたグレー値を形成し、平均化されたグレー値を漏れているピクセルに割り当てることを含むコンピュータ実行可能命令を、さらに格納していることを特徴とするコンピュータ読取可能媒体。
【請求項３０】
請求項２５または２９に記載のコンピュータ読取可能媒体において、２つの隣接するラインセグメントの表示可能画像ファイルの各々は、同一ピクセルのピクセル値を含み、同一ピクセルのピクセル値を平均化して、平均化されたグレー値を形成し、平均化されたグレー値を同一ピクセルに割り当てることを含むコンピュータ実行可能命令を、さらに格納していることを特徴とするコンピュータ読取可能媒体。